(57)【要約】【課題】引き操作が可能な取っ手付きの折戸において、連結部における戸板の突合せ端部間の間隙への指の進入を簡単な構造で確実に防止でき、かつ折戸の開閉操作のじゃまにならない指詰防止具およびこれを装着した折戸を提供する。【解決手段】遮蔽体２０は、中央に折曲部２１ａを備えて折り畳みおよび展開を可能とした板状の作動片２１を有し、作動片２１の幅方向の両端部のそれぞれが、両戸板１２の突合せ端部１２ａａに取り付けられて間隙１４を隠す構造とされ、折戸閉止時には、取っ手１２ａｂの後方の凹所１２ａｃが隣接して形成された隣接凹所１５の略中央で、作動片２１が折戸１０の突出方向に沿って折り畳まれる一方、折戸開止時には、作動片２１が展開されるように配されている。【選択図】図１
2010168737.tif 000002
【特許請求の範囲】
【請求項１】
遮蔽体を備え、複数枚の戸板を折り畳み自在に連結した折戸の連結部に装着され、上記遮蔽体によって、上記折戸の連結部における上記戸板の連結端部間に形成され、上記折戸の開閉によって拡縮する間隙を隠す構成とした指詰防止具であって、
上記戸板は、その連結端部に、折戸閉止時において、上記間隙を挟んで突き合わせられる突合せ端部と、該突合せ端部の上記折戸の突出方向側に相互に隣接する凹所と、該凹所のさらに前方の戸板前面で相互に対向突出して、上記凹所から外方に通じる開口を形成した取っ手とが形成され、折戸の開動によって、上記突合せ端部と上記凹所と上記取っ手とが扇状に開く動作をなす構造とされ、
上記遮蔽体は、中央に折曲部を備えて折り畳みおよび展開を可能とした板状の作動片を有し、該作動片の幅方向の両端部のそれぞれが、上記両戸板の突合せ端部に取り付けられて上記間隙を隠す構造とされ、折戸閉止時には、上記両凹所が隣接して形成された隣接凹所の略中央で、上記作動片が折戸の突出方向に沿って折り畳まれる一方、折戸開止時には、上記作動片が展開されるように配されていることを特徴とする指詰防止具。
【請求項２】
請求項１において、
上記作動片は、折戸開止時において、上記折曲部が鈍角をなして折曲されて前方に突出するように展開している指詰防止具。
【請求項３】
請求項１または２において、
上記作動片を動作可能とするように上記遮蔽体を固定支持する固定具をさらに備えており、
上記遮蔽体は、上記作動片の両側端側に取付部が延設され、該取付部が上記戸板の突合せ端部に上記固定具によって固定される構造となっている指詰防止具。
【請求項４】
請求項３において、
上記固定具は、板状体より構成されており、上記戸板の後面に固定される固定部と、該固定部より上記戸板の突合せ端部に沿って延設され、上記遮蔽体の取付部と連結する連結片を有した連結支持部とを備え、該連結支持部と上記固定部とで上記突合せ端部を挟み込む構造とされるとともに、
上記遮蔽体の取付部は、上記固定具の連結片と係合して連結される被連結部を備えており、
上記連結片と上記遮蔽体の被連結部とは、上記凹所の奥方で連結されている指詰防止具。
【請求項５】
請求項３または４において、
上記固定具の連結片は屈曲形状とされる一方、上記遮蔽体の被連結部は、該連結片が圧入によって嵌着される差込溝構造となっている指詰防止具。
【請求項６】
複数枚の戸板を折り畳み自在に連結させた連結部を有し、開いたときに、該連結部における戸板の連結端部間に、開閉によって拡縮する間隙が形成される折戸であって、
請求項１〜５のいずれか１項に記載の指詰防止具を装着した折戸。
【発明の詳細な説明】
【技術分野】
【０００１】
本発明は、折り畳み自在に連結した折戸の連結部に装着される指詰防止具およびこれを装着した折戸に関する。
【背景技術】
【０００２】
折戸は、これを開くときには、隣接する２枚の戸板を連結した連結部が、ガイドレールよりも前方側に突出しながら、各戸板の連結端部の突き合わせによってできた間隙は扇のように拡大していき、戸板を完全に折り畳むまで開くと２枚の戸板が重なり合って、連結部における両方の端面はガイドレールに直交する方向を向く。一方、折戸を閉じるときには、連結部における２枚の戸板の連結端部間が、はさみのように閉じていく。
【０００３】
折戸は開閉によってこのような動作をするため、従来では、開状態の折戸を、連結部における両戸板の連結端部間を手指で押えながら閉じようとすれば、２枚の戸板の連結端部間に指が挟まれる危険性があった。
【０００４】
また、折戸の連結部は蝶番などの連結部材で戸板を連結することで構成され、この蝶番のヒンジピンを連結支点として折り畳み自在な構造となっており、この蝶番を配設するために連結部における戸板の後方角部間にはわずかな隙間が形成される。特に、折戸が完全に開いた状態から閉状態に移行するまでの間は、連結部における戸板の連結端部間が開いた状態にあり、そのため連結支点の支軸部分、つまり２枚の戸板の連結端部の後方角部間に形成される上記隙間が端部間の間隙を通じて前方に露出された状態となる。この隙間は、４〜５ｍｍ程度のものであり大人では指が挟まれるおそれはほとんどないが、乳幼児ではその隙間に指が挟まれるおそれがあった。
【０００５】
このような連結部における戸板の連結端部間の拡縮する間隙や、支軸部分の隙間への指詰めを防止するために、指詰防止具やそのような部材を連結部に設けた折戸が、種々提案されている（例えば、特許文献１を参照）。
【０００６】
特許文献１に記載の指詰防止手段は、戸板の端部間に膜のような軟質部材を折り畳み展開自在に介在させたもので、この軟質部材によって、折戸が閉動する際に連結支点の支軸部分にできる上記隙間を前方より遮蔽して、隙間への指の進入を防止する構造となっている。
【０００７】
ところで、従来の折戸には、その連結部の折戸の戸板前面に、折戸の閉止状態からの引き操作を、手掛かり凹所によって形成された取っ手でできるようにしたものがある（例えば、特許文献２を参照）。この種のものでは、通例では凹所の後方に戸板端部が突き合わされてできた連結端部間の間隙があるが、同文献の技術では、折戸閉止時に連結部にできる上記間隙や隙間を戸板の構造でもって覆い隠して、指詰を防止できるようにしている。
【先行技術文献】
【特許文献】
【０００８】
【特許文献１】実開昭６３−２３４８２号公報
【特許文献２】特開２００８−２４０３７７号公報
【発明の概要】
【発明が解決しようとする課題】
【０００９】
しかしながら、特許文献２の隙間遮蔽構造の主たる目的は美観の向上であり、指詰防止機能は付加的なものにすぎない。すなわち、同文献の折戸によれば、凹所の後方のずれた位置に間隙が形成されているため、折戸閉止時には上記隙間は隠されるが、折戸の開動状態においては、間隙およびその後方の隙間が露出されるため、利用者に１００％の安心感を与えるものではない。
【００１０】
このような取っ手付きの折戸において、適切な指詰防止機能を持たせるためには、そのような取っ手を設けていない折戸と同様に、特許文献１に示したような遮蔽膜の構造が必要とされる。しかし、戸板の連結端部には手掛かり凹所を形成しているから、戸板の連結端部の対向する端面スペースが小さくなっており、そのため、遮蔽膜を端部間に介在させることはほとんど不可能である。
【００１１】
また、間隙の前方に、常時間隙を隠すように遮蔽膜を設ければ指詰防止効果はきわめて高くなるが、そのような遮蔽膜は手掛かり凹所の空間内に設けなければならず、そのようにすれば、折戸の閉止状態にあっては遮蔽膜によって凹所空間が塞がれてしまい、凹所に手を入れることができなくなるか、挿入できたとしても取っ手と変形した遮蔽膜とによって手指が挟まれるおそれがある。つまり、この種の取っ手と、取っ手と同様に連結部に設けなければならない指詰防止具とは相容れない関係であり、従来では適切な指詰防止機能を有した指詰防止具は提案されていなかった。
【００１２】
本発明は、このような事情を考慮して提案されたもので、その目的は、引き操作が可能な取っ手付きの折戸において、連結部における戸板の突合せ端部間の間隙への指の進入を簡単な構造で確実に防止でき、かつ折戸の開閉操作のじゃまにならない指詰防止具およびこれを装着した折戸を提供することにある。
【課題を解決するための手段】
【００１３】
上記目的を達成するために、請求項１に記載の指詰防止具は、遮蔽体を備え、複数枚の戸板を折り畳み自在に連結した折戸の連結部に装着され、遮蔽体によって、折戸の連結部における戸板の連結端部間に形成され折戸の開閉によって拡縮する間隙を隠す構成とされ、次のような特徴的な構造となっている。
【００１４】
すなわち、この指詰防止具では、戸板は、その連結端部に、折戸閉止時において、間隙を挟んで突き合わせられる突合せ端部と、突合せ端部の折戸の突出方向側に相互に隣接する凹所と、凹所のさらに前方の戸板前面で相互に対向突出して、凹所から外方に通じる開口を形成した取っ手とが形成され、折戸の開動によって、突合せ端部と凹所と取っ手とが扇状に開く動作をなす構造とされ、遮蔽体は、中央に折曲部を備えて折り畳みおよび展開を可能とした板状の作動片を有し、作動片の幅方向の両端部のそれぞれが、両戸板の突合せ端部に取り付けられて間隙を隠す構造とされ、折戸閉止時には、両凹所が隣接して形成された隣接凹所の略中央で、作動片が折戸の突出方向に沿って折り畳まれる一方、折戸開止時には、作動片が展開されるように配されている。
【００１５】
請求項２では、作動片は、折戸開止時において折曲部が鈍角をなして折曲されて前方に突出するように展開している。
【００１６】
請求項３に記載の指詰防止具は、作動片を動作可能とするように遮蔽体を固定支持する固定具をさらに備えており、遮蔽体は、作動片の両側端側に取付部が延設され、該取付部が戸板の突合せ端部に固定具によって固定される構造となっている。
【００１７】
請求項４では、固定具は、板状体により構成されており、戸板の後面に固定される固定部と、該固定部より戸板の連結端部間の間隙を介して延設され、遮蔽体の取付部と連結する連結片を有した連結支持部とを備え、該連結支持部と固定部とで突合せ端部を挟み込む構造とされるとともに、遮蔽体の取付部は、固定具の連結片と係合して連結される被連結部を備えており、上記連結片と上記遮蔽体の被連結部とが凹所の奥方で連結されている。
【００１８】
請求項５では、固定具の連結片は屈曲形状とされる一方、遮蔽体の被連結部は、該連結片が圧入によって嵌着される差込溝構造となっている。
【００１９】
請求項６に記載の折戸は、複数枚の戸板を折り畳み自在に連結させた連結部を有し、開いたときに、該連結部における戸板の連結端部間に、開閉によって拡縮する間隙が形成される折戸であって、請求項１〜５のいずれか１項に記載の指詰防止具が装着されている。
【発明の効果】
【００２０】
請求項１および請求項６に記載の本発明によれば、折戸の開閉にともなって拡大、縮小する突合せ端部間の間隙を、遮蔽体の作動片が展開、折り畳み動作をしながら確実に隠すようにしているので、折戸の操作で手指が突合せ端部間に挟まれるおそれがない。
【００２１】
また、折戸の閉止状態では、遮蔽体の作動片が中央の折曲部で折り畳まれた状態で相互に隣接する凹所の中央を突出方向に沿って配されるので、凹所や開口が塞がれることはなく、取っ手の引き操作をするために手指を凹所に無理なく入れることができる。さらに、折戸の閉止状態では、折り畳まれた作動片は凹所内にほぼ収容されるので、見映えもよい。
【００２２】
請求項２に記載の指詰防止具によれば、折戸閉止時において作動片の折曲部が鈍角をなして前方に突出した状態で展開しているので、その状態から折戸が閉動作に移行する際に、作動片が反対方向（後方）に突出するように折れ曲がることを防止できる。
【００２３】
請求項３に記載の指詰防止具によれば、作動片の両側端から延設された取付部を、固定具で戸板の突合せ端部に固定する構成であるため、作動片がスムースに動作できるように確実に固定することができる。
【００２４】
請求項４に記載の指詰防止具によれば、固定具が突合せ端部を挟み込み、連結片で遮蔽体の被連結部を連結、支持する構成であるため、指詰防止具を強固に戸板に固定することができる。また、遮蔽体と固定具との連結が凹所の奥方でなされているため、連結箇所は取っ手によって隠され、そのため美観を損なうことはない。
【００２５】
請求項５に記載の指詰防止具によれば、固定具の連結片は屈曲形状で、それを差込溝構造の被連結部に圧嵌して連結する構成であるため、開閉動作等によって遮蔽体が固定具より外れるおそれはない。
【図面の簡単な説明】
【００２６】
【図１】本発明の指詰防止具および折戸の一実施形態の説明図であり、同折戸の設置状態を示す横断面図、および図中のＸ２に相当する箇所の拡大部分横断面図である。
【図２】図１のＹ１方向から見た同折戸の正面図である。
【図３】図１のＹ２方向から見た同折戸の背面図である。
【図４】（ａ）は遮蔽体の平面図、（ｂ）は固定具の斜視図である。
【図５】（ａ）は同指詰防止具の背面図、（ｂ）は平面図である。
【図６】同折戸の閉動時の折戸の連結部の状態を時系列に示した説明図であり、（ａ）、（ｂ）は同折戸（連結部）の拡大部分横断面図である。
【図７】（ａ）、（ｂ）は、図５よりもさらに閉動された状態の同折戸（の連結部）の拡大部分横断面図である。
【図８】（ａ）、（ｂ）は、図６よりもさらに閉動された状態の同折戸（の連結部）の拡大部分横断面図である。
【図９】（ａ）、（ｂ）は、同指詰防止具の折戸の連結部への取付手順を時系列に示す説明図である。
【図１０】（ａ）、（ｂ）は、同指詰防止具の折戸の連結部への取付手順を時系列に示す説明図である。
【図１１】（ａ）〜（ｃ）は、本発明の指詰防止具の他の実施形態を示す概略部分横断面図である。
【発明を実施するための形態】
【００２７】
以下に、本発明の実施形態について添付図面を参照しながら説明する。
【００２８】
まず、同実施形態の指詰防止具とそれを装着した折戸の構造および形状について、図１〜図５を参照しながら説明する。なお、同指詰防止具の構成部材である遮蔽体の平面図である図４（ａ）と、同指詰防止具の平面図である図５は、遮蔽体が展開された状態を示している。
【００２９】
この折戸１０は、クローゼットの扉や、相互に隣接する居室間の開閉可能な間仕切りとして使用される。図例のものは、連結された一対の戸板１２、１２よりなる２組の折戸１０、１０が、敷居３に敷設されたガイドレール４上に、開閉移動可能に取り付けられている。
【００３０】
より具体的には、折戸１０を構成する２枚の戸板１２は、隣り合う連結端部１２ａが蝶番１１ａで回動可能に連結されているとともに、一方の戸板１２の他方の端部１２ｂが、柱１に取り付けた縦枠２にヒンジ結合され、他方の戸板１２の他方の端部１２ｂがレール４上に走行可能に取り付けられている。
【００３１】
このように、一方の戸板１２を縦枠２にヒンジ結合したものでは、他方の戸板１２をレール４上で移動させる場合には、蝶番１１ａによって、連結部１１が移動しながら折戸１０は開閉される。
【００３２】
なお、本発明の折戸１０は、折戸１０を構成するいずれの戸板１２もが縦枠２にヒンジ結合されず、両戸板１２ともにレール４上を移動するものにも適用が可能である。また、折戸は一対の戸板よりなるものに限定されず、複数対が連結されたものであってもよい。その場合、レール４上でも戸板同士が連結されるが、その連結部は本明細書でいう連結部１１には含まれない。
【００３３】
折戸１０を構成する各戸板１２において、連結部１１で連結され、開動作のときに突出する連結端部１２ａには、折戸１０（連結部１１）の突出方向の戸板前面１２ｃに取っ手１２ａｂが相互に対向突出するように形成されている。以下、突出方向を前、その反対方向を後という。
【００３４】
これらの両取っ手１２ａｂはそれぞれ、戸板１２の前面１２ｃに上下方向にわたり形成されたもので、その後方には凹所１２ａｃが形成され、その凹所１２ａｃに手指を入れて取っ手１２ａｂの引き操作ができるようにしている。
【００３５】
この取っ手１２ａｂは、折戸閉止時では、凹所１２ａｃの一部を前方より隠しているとともに、凹所１２ａｃへの手指の挿入が可能なように、両凹所１２ａｃが相互に隣接してできた隣接凹所１５の中央部を露出させた、上下方向にわたる開口１６が形成されている。
【００３６】
そして、その隣接凹所１５の後方における戸板１２の連結端部１２ａには、折戸閉止時に相互に突き合わせられる突合せ端部１２ａａが形成され、それらの間には、折戸閉止時で数ｍｍ幅の間隙１４が形成されており、その間隙１４の空間は折戸１０の開動作にともなって扇が開くように拡大し、閉動作にともなって扇が閉じるように縮小するものである。
【００３７】
また、連結部１１の構成部材である蝶番１１ａは、２枚の戸板１２の後面１２ｄに取り付けられ、その蝶番１１ａのヒンジピンが、連結部１１において２枚の戸板１２を折り畳み自在とした連結支点１１ｂを構成する。
【００３８】
この蝶番１１ａは、本実施形態では図３に示すように、上下方向の上、下および中央の３箇所に取り付けられており、図１の拡大図に示すように、この蝶番１１ａをスムースに動作させるために、折戸がある程度開いた状態では、上記間隙１４の後方であって、２枚の戸板１２の連結端部１２ａ（後方角部１２ａｄ）間には、連結支点１１ｂによってできる所定の隙間１３が形成されている。
【００３９】
さらに、この連結部１１には、上記間隙１４を通って、その前方と後方とに跨るように指詰防止具Ａが配設、固定されている。この指詰防止具Ａは、その一部で間隙１４を前方より覆い隠すようにした、板状体よりなる遮蔽体２０と、この遮蔽体２０を戸板１２に固定させるための板状体よりなる固定具３０とを組合せ一体化して構成されている。
【００４０】
この遮蔽体２０は、本実施形態では、折戸１０の全高にわたって設けたものではなく、図２の折戸１０の正面図に示すように、乳幼児等の指の進入が十分に防止できるように、幼児の身長に合わせて、戸板１２の下端位置から、中央よりやや高い位置までに対応した長さのものが配設されている。一方、固定具３０は、図３の折戸１０の背面図に示すように、蝶番１１ａの取付箇所を除く位置に、左右数組がビス止めによって取り付けられている。
【００４１】
この遮蔽体２０は、中央に折曲部２１ａを有するとともに両側端に取付折曲部２１ｂ、２１ｂを有して折り畳みおよび展開を可能とした作動片２１と、その作動片２１の両側端側に延設された取付部２２とを全長にわたって備えている。この取付部２２は、作動片２１の両側端より延設されている取付片２２ａ、２２ａと、さらにその両側端に固定具３０が連結される被連結部２３、２３とを備えている（図４（ａ）および図５を参照）。
【００４２】
なお、図４（ａ）および図５は、戸板１２に取り付けられた状態を示した図２、図３と同様、折戸の前方から見た状態を正面として示している。よって、これらの図において、遮蔽体２０の図中の上方面が戸板１２に対する取付面を示し、下方面が折戸１０の連結部１１の突出方向面を示している。
【００４３】
作動片２１は、折曲部２１ａの両側に、左右対称に動作する一対の遮蔽片２１ｃ、２１ｃを有しており、指詰防止具Ａが戸板１２に取り付けられているときには、この遮蔽片２１ｃ、２１ｃが、折戸１０の開閉動作にしたがって、中央の折曲部２１ａと両側の取付折曲部２１ｂ、２１ｂとが折曲変動しながら折り畳みおよび展開動作をなす構成となっている。
【００４４】
また、作動片２１は、折戸１０が開止（全開）して、突合せ端部１２ａａの端面１２ａａａがともにガイドレール４に直交する方向を向いたときに、折曲部２１ａの両側の遮蔽片２１ｃ、２１ｃのなす角度が鈍角をなして、やや前方に突出する幅寸法となっている。
【００４５】
遮蔽体２０は、中央の折曲部２１ａおよび両側の取付折曲部２１ｂ、２１ｂが、折曲可動できるように可撓性の樹脂材料で成形され、その他の部位は硬質樹脂材料で成形されており、異材質による２色成形によって製することが望ましい。
【００４６】
また、遮蔽体２０の被連結部２３を除く部位は、展開された状態では図４（ａ）に示すように、ほぼ平板状となっているが、戸板１２に取り付けられて、作動片２１が展開された平板状態と、折り畳まれて折曲部２１ａが前方（図４（ａ）における下方）に突出された状態との間で変動できるように、折曲部２１ａは折戸１０の突出方向と同方向に突出した状態に曲成されている。
【００４７】
本実施形態では、外力がなんら加わらない復帰状態にあるときは、作動片２１がわずかに突出して両遮蔽片２１ｃ、２１ｃのなす角度が鈍角となって平板状に近いＶ字形状をなしており、両側端からの弾性力を付勢させることによって作動片２１が折り畳み重合される。なお、遮蔽体２０は上記のような外力を加えて折り畳んだときに復帰弾性力が生じないものでよく、すくなくとも作動片２１の折曲部２１ａと取付折曲部２１ｂとが折曲自在であって、展開状態と折り畳み状態との間で可動できるものであればよい。
【００４８】
また、遮蔽体２０の取付部２２の被連結部２３は、取付片２２ａの端部より取付片２２ａに対して直交する方向に突出するように、板状体の端部を折曲重合して形成されており、戸板１２への取付面側には、重合された２片の挟持片２３ａ、２３ａによってできる差込溝２３ｂが形成されている。
【００４９】
一方、固定具３０は、ステンレス等の金属製の板状体を略コ字状に形成してなり、戸板１２の後面１２ｄに取付固定される、ビス孔３２ｂを有した板状の固定片３２ａを備えた固定部３２と、遮蔽体２０の取付部２２と連結するための連結片３１ｃを有した連結支持部３１とを一体的に備えている。
【００５０】
この連結支持部３１は、連結片３１ｃを端部に備えて、その連結片３１ｃの基端より折曲延設され突合せ端部１２ａａの前面１２ａａｂに沿って配される支持片３１ｂと、その支持片３１ｂと固定片３２ａとを橋絡させ突合せ端部１２ａａの端面１２ａａａに沿って配される橋絡片３１ａとを備えている。
【００５１】
固定片３２ａと支持片３１ｂとは平行となるよう形成されており、その間隔は戸板１２の突合せ端部１２ａａに嵌着できる寸法となっている。すなわち、固定具３０は、固定部３２と連結支持部３１によって形成されるコ字形部によって、戸板１２の連結端部１２ａの突合せ端部１２ａａを挟み込むようにして、戸板１２に取り付けられる。
【００５２】
この固定具３０は、図５等に示すように、固定部３２の開放端が遮蔽体２０の側端方向を向くように、連結片３１ｂが遮蔽体２０の被連結部２３に形成された差込溝２３ｂに挿着されて、一体化されている。連結片３１ｃは、図４（ｂ）等に示すように屈曲形状をなしており、被連結部２３の差込溝２３ｂへ圧入によって嵌着されて連結固定部Ｂを構成している。
【００５３】
このように２部材を一体化した指詰防止具Ａは、図９、図１０で後述するように、一体化して折り畳んだ状態で、コ字形状の固定具３０を戸板１２の突合せ端部１２ａａに装着して、固定片３２ａを戸板１２の後面１２ｄにビス止めして固定して取り付けられると、固定具３０の連結片３１ｃが挿着された遮蔽体２０の被連結部２３は、凹所１２ａｃの奥方の側壁１２ａｅに近接して側壁１２ａｅに沿うように配されるとともに、取付片２２ａは突合せ端部１２ａａの前面１２ａａｂ（図９、図１０を参照）に密着した支持片３１ｂのさらに前方側に重合して配される。
【００５４】
そして、固定具３０が両戸板１２、１２の突合せ端部１２ａａ、１２ａａに対して取り付けられた状態では、遮蔽体２０の作動片２１の両遮蔽片２１ａ、２１ａが戸板１２のいずれの部位にも接触しない状態となって、折戸１０の開閉動作にともなって、折り畳みおよび展開動作が可能な状態となる。
【００５５】
このように、指詰防止具Ａは、固定具３０で隣接する両戸板１２、１２のそれぞれに固定されるが、その固定位置は、両突合せ端部１２ａａ、１２ａａの端面１２ａａａ、１２ａａａ間で橋絡片３１ａ、３１ａが重合しないようにするため、図３、図５（ｂ）に示すように高さ位置を相互に異ならせている。なお、折戸１０を閉じた状態で突合せ端部１２ａａ、１２ａａ間の間隙１４の幅が、両橋絡片３１ａ、３１ａを重ねてもスムースに動作する程度に十分に広いものでは同じ高さ位置に配してもよい。
【００５６】
ついで、図６〜図８を参照しながら、指詰防止具Ａの基本動作について説明する。
【００５７】
図６〜図８は、折戸１０の閉動時の連結部１１の状態遷移（図１のＸ１の状態からＸ２の状態を経て全閉（図１中の左側の折戸の状態Ｘ３に相当する）状態までの遷移）を、図順にしたがって時系列に示した連結部１１の部分横断面図である。
【００５８】
折戸１０がほぼ全開した状態では、２枚の戸板１２が重なり合うように折り畳まれて、突合せ端部１２ａａの端面１２ａａａが前方を向いており、その状態では、指詰防止具Ａの遮蔽体２０の作動片２１は、先述したように、作動片２１の幅寸法をやや大きくしているため、折曲部２１ａを頂点として前方に山形状に突出している。なお、この状態では折戸１０は全開状態にあるため、作動片２１がそれ以上に展開されて平板な状態となることはない。
【００５９】
このように、遮蔽体２０の作動片２１が折戸１０の開止状態で前方に少し突出しているため、その状態から折戸１０が閉動作に移行する際に、作動片２１が後方に折れ曲がってしまうおそれはなく、確実に、後述するような折り畳み動作に移行することができる。
【００６０】
その後、折戸１０を徐々に閉じていくと、折戸１０の閉動作にともなって、作動片２１の取付折曲部２１ｂにおける作動片２１と取付片２２ａのなす角度θ２は徐々に大きくなり、一方、折曲部２１ａにおける両遮蔽片２１ｃ、２１ｃのなす角度θ１は小さくなり、作動片２１が折り畳まれるように変動する（図６（ｂ）、図７、図８を参照）。
【００６１】
こうして折戸１０が閉動して閉止（全閉）状態になると、両戸板１２、１２の凹所１ａｃ、１２ａｃが隣接した隣接凹所１５の中央で、折戸１０の突出方向に沿って作動片２１が先端（折曲部２１ａ）を尖らせて、凹所１ａｃ、１２ａｃ間を遮断するように重合状態に折り畳まれて、その先端の折曲部２１ａが取っ手１２ａｂ、１２ａｂ間の開口１６よりわずかに飛び出た状態となる。
【００６２】
このように、作動片２１の折り畳み動作過程において、作動片２１は常時、突合せ端部１２ａａ、１２ａａ間の間隙１４を覆って突合せ端部１２ａの端面１２ａａａを隠した状態にあるため、連結部１１の押し操作によって誤って手指が間隙１４やその後方にある隙間１３に入り込むことを、確実に防止することができる。
【００６３】
また、折戸１０の閉止状態では、折り畳まれた作動片２１が尖形状に前方に突出しているが、その作動片２１は隣接凹所１５内にほぼ収容された状態になっているため、美観上の問題はなく、突出した作動片２１に身体等が引っ掛かるようなおそれもない。
【００６４】
なお、本実施形態の指詰防止具Ａは、折戸１０の閉止状態で、折り畳まれた作動片２１の先端である折曲部２１ａが取っ手１２ａｂ、１２ａｂ間の開口１６よりわずかに飛び出るものであるが、作動片２１の全体が隣接凹所１５内に収容されるものが望ましい。そのようにするために、戸板１２の凹所１２ａｃ、突合せ端部１２ａａや、遮蔽体２０の作動片２１の寸法を適宜調整すればよい。
【００６５】
さらに、閉止状態の折戸１０を開くときには、いずれかの凹所１２ａｃに開口１６より手指を入れて取っ手１２ａｃを引き操作するが、作動片２１が薄く折り畳まれているため、凹所１２ａｂや開口１６が遮蔽体２０によって塞がれることはなく、凹所１２ａｂに手指を入れることに作動片２１が妨げとはならず、取っ手１２ａｃの引き操作を無理なく行える。
【００６６】
また、固定具３０のビス止めが戸板１２の後面１２ｄでされているので、ビスが前方から見えず見映えがよい。また、折戸１０が閉止状態にあるときは、遮蔽体２０の両側端にある被連結部２３が取っ手１２ａｂによって隠されるので、遮蔽体２０によって美観を損なうことはなく、特に遮蔽体２０の色や模様を戸板１２に合わせ、さらに戸板１２の全高にわたって設けるようにすれば、指詰防止具Ａを設けたことによる違和感もない。
【００６７】
つぎに、指詰防止具Ａの折戸１０の連結部１１への装着方法の一例について、図９および図１０を参照しながら説明する。
【００６８】
まず、蝶番１１ａが取り付けられて連結部１１が形成された折戸１０を折り畳んだ状態で、一方の戸板１２の前面１２ｃを作業台Ｗに載置する。つまり、この状態の折戸１０は、折戸１０が施工されている場合に全開となる状態と同様であり、戸板１２が重合されている。
【００６９】
つぎに、上下に重なり合った突合せ端部１２ａａの隙間１３より、指詰防止具Ａの、下側の戸板１２用の固定具３０の固定部３２（固定片３２ａ）を、橋絡片３１ａが突合せ端部１２ａａの端面１２ａａａに当たるまで差し込んで仮止めする。この状態では、相互に嵌合された遮蔽体２０の被連結部２３と固定具３０の連結片３１ｃは、凹所１２ａｃの奥方で、凹所１２ａｃの奥方の側壁１２ａｅに近接して配される（以上、図９を参照）。図３のように、戸板１２への固定用に複数の固定具３０が設けられている場合は、それら複数の固定具３０を同時に差し込むようにすれば効率よく装着が行える。
【００７０】
さらに、上側の戸板１２用の固定具３０についても、同様の方法で戸板１２に装着して仮止めする（図１０を参照）。
【００７１】
このように、指詰防止具Ａを折戸１０に仮止め装着した後、上側の戸板１２を連結部１１を中心に、図９、図１０における右側に回動させて作業台Ｗに載せ、その後、固定具３０の全てについて、固定部３２を戸板１２の後面にビス止めして、指詰防止具Ａを折戸１０に対して固定する（この状態については不図示）。
【００７２】
こうして、指詰防止具Ａが折戸１０に装着、固定され、折戸１０が施工された後は、折戸１０が開状態（例えば、図６（ａ）、（ｂ）および図７（ａ）を参照）にあって遮蔽体２０の作動片２１を前方（戸板１２の幅方向）に引っ張ったとしても、その連結固定部Ｂにおいて、遮蔽体２０の被連結部２３と固定具３０の連結片３１ｃとが、戸板１２の厚み方向に沿って嵌着、連結されているため遮蔽体２０が外れるおそれはない。また折戸１０が閉止状態（図８（ｂ）を参照）にあって作動片２１を引っ張った場合にも、取付片２２ａが弾性的に浮くことはあっても、被連結部２３の突端が取っ手の裏面に近接しており、また被連結部２３には連結片３１ｃが圧嵌されていることもあいまって、被連結部２３が連結片３１ｃより外れることはなく、浮いた状態にある取付片２２ａも弾性復帰する。
【００７３】
もちろん、固定具３０は突合せ端部１２ａａを挟み込んだ状態でビス止めされているため、折戸１０の閉止状態における遮蔽体２０を引っ張ることによって、固定具３０自体がずれ動くおそれもない。
【００７４】
このように、この指詰防止具Ａは、固定具３０をコ字形状として、戸板１２の突合せ端部１２ａａを挟み込み固定する構成であるため、折戸１０の連結部１１に対して強固に固定される。
【００７５】
また、この指詰防止具Ａは、これを構成する遮蔽体２０および固定具３０がともに板状体よりなるため、折戸として連結された状態であっても、連結部１１の隙間１４等を利用して簡易に装着することができる。
【００７６】
さらに、この指詰防止具Ａは、折戸１０を立設させた開止または閉止の状態で安定させることができるため、出荷前等に折戸１０への装着が簡易に行えるだけでなく、施工済みの折戸１０に対しても、上記と同様の手順で、指詰防止具Ａを後付けすることができる。
【００７７】
以上に示した実施形態では、戸板１２の突合せ端部１２ａａを固定具３０で強固に挟み込んで固定できる指詰防止具Ａを示したが、図１１に示すような他の構造の指詰防止具であってもよい。
【００７８】
例えば、図１１（ａ）の指詰防止具Ａは、固定具３０が略Ｌ字形状であり、遮蔽体２０と固定具３０との連結固定部Ｂは、連結片３１ｃと遮蔽体２０の被連結部２３とが突合せ端部１２ａａの前面１２ａａｂの角部近傍で係合されて形成されている。このように、固定具３０で突合せ端部１２ａａを挟み込まないものでも、剛性の高い素材を固定具３０に使用し、かつ連結片３１ｃと被連結部２３との連結を強固にすれば、遮蔽体２０の動作にも支障はなく、遮蔽体２０が外れるおそれもない。また、折戸１０への装着も容易である。
【００７９】
また、図１１（ｂ）の指詰防止具Ａは、上記のような板状の固定具を使用せず、上記実施形態で採用したものと類似形状の遮蔽体２０を直接、ビス等の固定具３０で固定するものである。例えば図示するように、１つの戸板１２に対し、凹所１２ａｃの奥方の側壁１２ａｅと、突合せ端部１２ａａの前面１２ａａｂでビス止めする構成とすれば、簡易な構造で指詰防止を実現できる。
【００８０】
さらに、図１１（ｃ）の指詰防止具Ａも、板状の固定具は使用しないもので、さらに遮蔽体２０も簡易な形状であり、作動片２１のみからなるといってもよく、戸板１２への固定は、作動片２１の両側端の取付折曲部２１ｂよりわずかに延びた取付部２２を突合せ端部１２ａａの面取り部１２ａａｃに接着するだけでよい。また、取付部２２を面取り部１２ａａｃに直接係合できる構造としてもよい。
【００８１】
なお、これらの図において、上記実施形態と同様の構成については、同一の符号を付して説明を省略する。
【００８２】
このように、折り畳みおよび展開して間隙１４を隠すようにした遮蔽体３０を有したものであれば、図１１に例示するような簡易な構造のもののほか、種々の形状、構造の指詰防止具Ａであってもよい。
【００８３】
このような簡易な構造のものでも、遮蔽体２０の作動片２１は、折戸閉止時には、隣接凹所の略中央で折戸の突出方向に沿って折り畳まれる一方、折戸開止時には展開されるので、作動片２１がじゃまになることはないし、取っ手１２ａｂの引き操作がしにくくなることもない。
【符号の説明】
【００８４】
１０      折戸
１１      連結部
１２      戸板
１２ａ      連結端部
１２ａａ      突合せ端部
１２ａａａ      端面
１２ａａｂ      前面
１２ａｂ      取っ手
１２ａｃ      凹所
１２ａｄ      後方角部
１２ａｅ      側壁
１４      間隙
１５      隣接凹所
１６      開口
Ａ      指詰防止具
２０      遮蔽体
２１      作動片
２１ａ      折曲部
２２      取付部
２３      被連結部
３０      固定具
３１      連結支持部
３１ｃ      連結片
３２      固定部
【図１】
2010168737.tif 000003
【図２】
2010168737.tif 000004
【図３】
2010168737.tif 000005
【図４】
2010168737.tif 000006
【図５】
2010168737.tif 000007
【図６】
2010168737.tif 000008
【図７】
2010168737.tif 000009
【図８】
2010168737.tif 000010
【図９】
2010168737.tif 000011
【図１０】
2010168737.tif 000012
【図１１】
2010168737.tif 000013